(57)【要約】      （修正有）【課題】知能無味スプレー設備を提供する。【解決手段】ボディ１００を含み、前記ボディの上方には浄化槽１１５が設置され、前記ボディの左側には入口チャンバー１０１が設置され、前記ボディの中部にはスプレーチャンバー１２７が設置され、前記ボディの右側には出口チャンバー１８４が設置され、前記入口チャンバーの右側には原料入り口１８６が設置され、前記原料入り口の中には入口バルブ１８５がスライドできるように設置され、前記スプレーチャンバーの中には左回転軸１４６と右回転軸１５３が回転できるように設置され、本発明は密封空間の中で行う全自動スプレー作業により、生み出した汚染気体を処理してから排出し、人体への保護を行うだけでなく、環境へも有効な保護を行う。【選択図】図１
2020203274.tif 000002
【特許請求の範囲】
【請求項１】
正面視で、ボディを含み、前記ボディの上方には浄化槽が設置され、前記ボディの左側には入口チャンバーが設置され、前記ボディの中部にはスプレーチャンバーが設置され、前記ボディの右側には出口チャンバーが設置され、前記入口チャンバーの右側には原料入り口が設置され、前記原料入り口の中には入口バルブがスライドできるように設置され、前記スプレーチャンバーの中には左回転軸と右回転軸が回転できるように設置され、前記左回転軸には左伝送ディスクが固定的に連結され、前記右回転軸には右伝送ディスクが固定的に連結され、前記左伝送ディスクには左ベルトコンベアが伝動できるように連結され、前記右伝送ディスクに右ベルトコンベアが伝動できるように連結され、前記スプレーチャンバーの下壁中部には支柱が固定的に連結され、前記支柱には扇形板が固定的に連結され、前記スプレーチャンバーの下壁には中心軸が回転できるように連結され、前記中心軸には把持ロッドが固定的に連結され、前記把持ロッドには斜めブロックが固定的に連結され、前記スプレーチャンバーの上壁には圧縮機が固定的に連結され、前記スプレーチャンバーの上壁には貯蔵チャンバーが固定的に連結され、前記圧縮機と前記貯蔵チャンバーにはパイプが固定的に連結され、前記パイプの末端にはノズルがスライドできるように連結され、前記パイプの末端にはノズルがスライドできるように連結され、前記ノズルにはスイッチが固定的に連結され、前記出口チャンバーの左側には原料出口が設置され、前記原料出口の中には出口バルブがスライドできるように設置されていることを特徴とする知能無味スプレー設備。
【請求項２】
前記浄化槽には左排出管が連通するように設置され、前記浄化槽には右排出管が連通するように設置され、前記左排出管の下方には左ファンブレードが設置され、前記右排出管の下方には右ファンブレードが設置され、前記左ファンブレードには左主軸が固定的に連結され、前記右ファンブレードには右主軸が固定的に連結され、前記左主軸には左上スプロケットが固定的に連結され、前記左上スプロケットには左チェーンが伝動できるように連結され、前記左チェーンには中上スプロケットが伝動できるように連結され、前記右主軸には右上スプロケットが固定的に連結され、前記右上スプロケットには右チェーン伝動できるように連結され、前記右チェーンには中スプロケットが伝動できるように連結され、前記中スプロケットには出力軸が固定的に連結され、前記出力軸にはモータが動力が伝達できるように連結され、前記出力軸には中歯車が固定的に連結され、前記中歯車には左歯車が噛み合っており、前記左歯車には上短軸が固定的に連結され、前記上短軸が前記ボディと回転できるように連結され、前記上短軸が前記中上スプロケットと固定的に連結されたことを特徴とする請求項１に記載の知能無味スプレー設備。
【請求項３】
前記左主軸には左三角スタンドが回転できるように連結され、前記左三角スタンドと前記ボディが固定的に連結され、前記右主軸には右三角スタンドが回転できるように連結され、前記右三角スタンドと前記ボディが固定的に連結されたことを特徴とする請求項１に記載の知能無味スプレー設備。
【請求項４】
前記入口チャンバーの内壁には左ウォームが回転できるように連結され、前記左ウォームには左タービンが噛み合っており、前記左タービンには前記入口チャンバーの内壁と回転できるように連結された左横軸が固定的に連結され、前記左横軸には前記左ベルトコンベアと伝動できるように連結された左外伝送ディスクが固定的に連結され、前記左横軸には左外スプロケットが固定的に連結され、前記左外スプロケットには左下チェーンが噛み合っており、前記左下チェーンには左内スプロケットが噛み合っており、前記左内スプロケットには前記左主軸が固定的に連結されたことを特徴とする請求項１に記載の知能無味スプレー設備。
【請求項５】
前記左主軸には左中スプロケットが固定的に連結され、前記左中スプロケットには中チェーンが噛み合っており、前記中チェーンには中スプロケットが噛み合っており、前記中スプロケットが前記中心軸と固定的に連結されたことを特徴とする請求項１に記載の知能無味スプレー設備。
【請求項６】
前記パイプにはバネが固定的に連結され、前記バネの末端には前記ノズルが固定的に連結されたことを特徴とする請求項１に記載の知能無味スプレー設備。
【請求項７】
前記出口チャンバーの内壁には右ウォームが回転できるように連結され、前記右ウォームには右タービンが噛み合っており、前記右タービンには前記出口チャンバーの内壁と回転できるように連結された右横軸が固定的に連結され、前記右横軸には前記右ベルトコンベアと伝動できるように連結された右外伝送ディスクが固定的に連結され、前記右ウォームには右外スプロケットが固定的に連結され、前記右外スプロケットには右下チェーンが噛み合っており、前記右下チェーンには前記右主軸と固定的に連結された右内スプロケットが噛み合っていることを特徴とする請求項１に記載の知能無味スプレー設備。
【請求項８】
前記左主軸には左中内スプロケットが固定的に連結され、前記左中内スプロケットには左中チェーンが噛み合っており、前記左中チェーンには左中外スプロケットが噛み合っており、前記左中外スプロケットには左中短軸が固定的に連結され、前記左中短軸には左ヘリカルギヤが固定的に連結され、前記左ヘリカルギヤには左下ヘリカルギヤが噛み合っており、前記左下ヘリカルギヤには左短横軸が固定的に連結され、前記左短横軸には左扇形歯車が固定的に連結され、前記左扇形歯車には前記入口バルブと固定的に連結された左ラックが間欠的に噛み合っていることを特徴とする請求項１に記載の知能無味スプレー設備。
【請求項９】
前記右主軸には右中内スプロケットが固定的に連結され、前記右中内スプロケットには右中チェーンが噛み合っており、前記右中チェーンには右中外スプロケットが噛み合っており、前記右中外スプロケットには右中短軸が固定的に連結され、前記右中短軸には右ヘリカルギヤが固定的に連結され、前記右ヘリカルギヤには右下ヘリカルギヤが噛み合っており、前記右下ヘリカルギヤには右短横軸が固定的に連結され、前記右短横軸には右扇形歯車が固定的に連結され、前記右扇形歯車には前記出口バルブと固定的に連結された右ラックが間欠的に噛み合っていることを特徴とする請求項１に記載の知能無味スプレー設備。 
【発明の詳細な説明】
【技術分野】
【０００１】
本発明は玩具スプレー設備分野に関し、具体的には知能無味スプレー設備である。
【背景技術】
【０００２】
人々の生活レベルの向上と共に、児童は玩具への需要量が多くなり、しかし、玩具の生産の中にはスプレーしたり、漆を塗ったりする大量の人力が需要され、伝統的なスプレー方式を使用すると、人が大量の有害物質を吸入しやすく、たとえ玩具用漆だとしても、気道に吸入したら有害であり、それに、伝統的なスプレー方式は速度が遅く、コストが高く、従って、プロテクト機能を持つ知能スプレー設備を設計することが必要となる。
【先行技術文献】
【特許文献】
【０００３】
【特許文献１】中国特許出願公開第１０８０９７５０４号明細書
【発明の概要】
【発明が解決しようとする課題】
【０００４】
本発明は知能無味スプレー設備を提供し、従来技術における上記欠点を解消し、設備の実用性を高めることを目的とする。
【課題を解決するための手段】
【０００５】
本発明がその技術問題を解決するために採用した技術プランは：本発明の知能無味スプレー設備は、ボディを含み、前記ボディの上方には浄化槽が設置され、前記ボディの左側には入口チャンバが設置され、前記ボディの中部にはスプレーチャンバが設置され、前記ボディの右側には出口チャンバが設置され、前記入口チャンバの右側には原料入り口が設置され、前記原料入り口の中には入口バルブがスライドできるように設置され、前記スプレーチャンバの中には左回転軸と右回転軸が回転できるように設置され、前記左回転軸には左伝送ディスクが固定的に連結され、前記右回転軸には右伝送ディスクが固定的に連結され、前記左伝送ディスクには左ベルトコンベアが伝動できるように連結され、前記右伝送ディスクに右ベルトコンベアが伝動できるように連結され、前記スプレーチャンバの下壁中部には支柱が固定的に連結され、前記支柱には扇形板が固定的に連結され、前記スプレーチャンバの下壁には中心軸が回転できるように連結され、前記中心軸には把持ロッドが固定的に連結され、前記把持ロッドには斜めブロックが固定的に連結され、前記スプレーチャンバの上壁には圧縮機が固定的に連結され、前記スプレーチャンバの上壁には貯蔵チャンバが固定的に連結され、前記圧縮機と前記貯蔵チャンバにはパイプが固定的に連結され、前記パイプの末端にはノズルがスライドできるように連結され、前記パイプの末端にはノズルがスライドできるように連結され、前記ノズルにはスイッチが固定的に連結され、前記出口チャンバの左側には原料出口が設置され、前記原料出口の中には出口バルブがスライドできるように設置されている。
【０００６】
更の技術プランとしては、前記浄化槽には左排出管が連通するように設置され、前記浄化槽には右排出管が連通するように設置され、前記左排出管の下方には左ファンブレードが設置され、前記右排出管の下方には右ファンブレードが設置され、前記左ファンブレードには左主軸が固定的に連結され、前記右ファンブレードには右主軸が固定的に連結され、前記左主軸には左上スプロケットが固定的に連結され、前記左上スプロケットには左チェーンが伝動できるように連結され、前記左チェーンには中上スプロケットが伝動できるように連結され、前記右主軸には右上スプロケットが固定的に連結され、前記右上スプロケットには右チェーン伝動できるように連結され、前記右チェーンには中スプロケットが伝動できるように連結され、前記中スプロケットには出力軸が固定的に連結され、前記出力軸にはモータが動力が伝達できるように連結され、前記出力軸には中歯車が固定的に連結され、前記中歯車には左歯車が噛み合っており、前記左歯車には上短軸が固定的に連結され、前記上短軸が前記ボディと回転できるように連結され、前記上短軸が前記中上スプロケットと固定的に連結された。
【０００７】
更の技術プランとしては、前記左主軸には左三角スタンドが回転できるように連結され、前記左三角スタンドと前記ボディが固定的に連結され、前記右主軸には右三角スタンドが回転できるように連結され、前記右三角スタンドと前記ボディが固定的に連結された。
【０００８】
更の技術プランとしては、前記入口チャンバの内壁には左ウォームが回転できるように連結され、前記左ウォームには左タービンが噛み合っており、前記左タービンには前記入口チャンバの内壁と回転できるように連結された左横軸が固定的に連結され、前記左横軸には前記左ベルトコンベアと伝動できるように連結された左外伝送ディスクが固定的に連結され、前記左横軸には左外スプロケットが固定的に連結され、前記左外スプロケットには左下チェーンが噛み合っており、前記左下チェーンには左内スプロケットが噛み合っており、前記左内スプロケットには前記左主軸が固定的に連結された。
【０００９】
更の技術プランとしては、前記左主軸には左中スプロケットが固定的に連結され、前記左中スプロケットには中チェーンが噛み合っており、前記中チェーンには中スプロケットが噛み合っており、前記中スプロケットが前記中心軸と固定的に連結された。
【００１０】
更の技術プランとしては、前記パイプにはバネが固定的に連結され、前記バネの末端には前記ノズルが固定的に連結された。
【００１１】
更の技術プランとしては、前記出口チャンバの内壁には右ウォームが回転できるように連結され、前記右ウォームには右タービンが噛み合っており、前記右タービンには前記出口チャンバの内壁と回転できるように連結された右横軸が固定的に連結され、前記右横軸には前記右ベルトコンベアと伝動できるように連結された右外伝送ディスクが固定的に連結され、前記右ウォームには右外スプロケットが固定的に連結され、前記右外スプロケットには右下チェーンが噛み合っており、前記右下チェーンには前記右主軸と固定的に連結された右内スプロケットが噛み合っている。
【００１２】
更の技術プランとしては、前記左主軸には左中内スプロケットが固定的に連結され、前記左中内スプロケットには左中チェーンが噛み合っており、前記左中チェーンには左中外スプロケットが噛み合っており、前記左中外スプロケットには左中短軸が固定的に連結され、前記左中短軸には左ヘリカルギヤが固定的に連結され、前記左ヘリカルギヤには左下ヘリカルギヤが噛み合っており、前記左下ヘリカルギヤには左短横軸が固定的に連結され、前記左短横軸には左扇形歯車が固定的に連結され、前記左扇形歯車には前記入口バルブと固定的に連結された左ラックが間欠的に噛み合っている。
【００１３】
更の技術プランとしては、前記右主軸には右中内スプロケットが固定的に連結され、前記右中内スプロケットには右中チェーンが噛み合っており、前記右中チェーンには右中外スプロケットが噛み合っており、前記右中外スプロケットには右中短軸が固定的に連結され、前記右中短軸には右ヘリカルギヤが固定的に連結され、前記右ヘリカルギヤには右下ヘリカルギヤが噛み合っており、前記右下ヘリカルギヤには右短横軸が固定的に連結され、前記右短横軸には右扇形歯車が固定的に連結され、前記右扇形歯車には前記出口バルブと固定的に連結された右ラックが間欠的に噛み合っている。
【発明の効果】
【００１４】
本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。 
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の知能無味スプレー設備の全体構成模式図
【図２】図２は図１のＡの拡大構成模式図
【図３】図３は図１のＢの拡大構成模式図
【図４】図４は図１のＣ―Ｃの断面構成模式図
【発明を実施するための形態】
【００１７】
図１〜４を参照し、本発明の知能無味スプレー設備は、ボディ１００を含み、前記ボディ１００の上方には浄化槽１１５が設置され、前記ボディ１００の左側には入口チャンバ１０１が設置され、前記ボディ１００の中部にはスプレーチャンバ１２７が設置され、前記ボディ１００の右側には出口チャンバ１８４が設置され、前記入口チャンバ１０１の右側には原料入り口１８６が設置され、前記原料入り口１８６の中には入口バルブ１８５がスライドできるように設置され、前記スプレーチャンバ１８４の中には左回転軸１４６と右回転軸１５３が回転できるように設置され、前記左回転軸１４６には左伝送ディスク１４７が固定的に連結され、前記右回転軸１５３には右伝送ディスク１５４が固定的に連結され、前記左伝送ディスク１４７には左ベルトコンベア１９０が伝動できるように連結され、前記右伝送ディスク１５４に右ベルトコンベア１６１が伝動できるように連結され、前記スプレーチャンバ１２７の下壁中部には支柱１５２が固定的に連結され、前記支柱１５２には扇形板１４９が固定的に連結され、前記スプレーチャンバ１２７の下壁には中心軸１５１が回転できるように連結され、前記中心軸１５１には把持ロッド１４５が固定的に連結され、前記把持ロッド１４５には斜めブロック１４４が固定的に連結され、前記スプレーチャンバ１２７の上壁には圧縮機１３５が固定的に連結され、前記スプレーチャンバ１２７の上壁には貯蔵チャンバ１３４が固定的に連結され、前記圧縮機１３５と前記貯蔵チャンバ１３４にはパイプ１３６が固定的に連結され、前記パイプ１３６の末端にはノズル１３８がスライドできるように連結され、前記パイプ１３６の末端にはノズル１３８がスライドできるように連結され、前記ノズル１３８にはスイッチ１３９が固定的に連結され、前記出口チャンバ１８４の左側には原料出口１８８が設置され、前記原料出口１８８の中には出口バルブ１８７がスライドできるように設置されている。
【００１８】
好ましくは、前記浄化槽１１５には左排出管１０６が連通するように設置され、前記浄化槽１１５には右排出管１２２が連通するように設置され、前記左排出管１０６の下方には左ファンブレード１１１が設置され、前記右排出管１２２の下方には右ファンブレード１２３が設置され、前記左ファンブレード１１１には左主軸１１０が固定的に連結され、前記右ファンブレード１２３には右主軸１５６が固定的に連結され、前記左主軸１１０には左上スプロケット１１２が固定的に連結され、前記左上スプロケット１１２には左チェーン１１６が伝動できるように連結され、前記左チェーン１１６には中上スプロケット１１７が伝動できるように連結され、前記右主軸１５６には右上スプロケット１２４が固定的に連結され、前記右上スプロケット１２４には右チェーン１２６伝動できるように連結され、前記右チェーン１２６には中スプロケット１３３が伝動できるように連結され、前記中スプロケット１３３には出力軸１３２が固定的に連結され、前記出力軸１３２にはモータ１２０が動力が伝達できるように連結され、前記出力軸１３２には中歯車１２１が固定的に連結され、前記中歯車１２１には左歯車１１９が噛み合っており、前記左歯車１１９には上短軸１１８が固定的に連結され、前記上短軸１１８が前記ボディ１００と回転できるように連結され、前記上短軸１１８が前記中上スプロケット１１７と固定的に連結された。
【００１９】
好ましくは、前記左主軸１１０には左三角スタンド１１３が回転できるように連結され、前記左三角スタンド１１３と前記ボディ１００が固定的に連結され、前記右主軸１５６には右三角スタンド１２５が回転できるように連結され、前記右三角スタンド１２５と前記ボディ１００が固定的に連結された。
【００２０】
好ましくは、前記入口チャンバ１０１の内壁には左ウォーム１０２が回転できるように連結され、前記左ウォーム１０２には左タービン１０３が噛み合っており、前記左タービン１０３には前記入口チャンバ１０２の内壁と回転できるように連結された左横軸１４８が固定的に連結され、前記左横軸１４８には前記左ベルトコンベア１９０と伝動できるように連結された左外伝送ディスク１０２が固定的に連結され、前記左横軸１４８には左外スプロケット１０４が固定的に連結され、前記左外スプロケット１０４には左下チェーン１０５が噛み合っており、前記左下チェーン１０５には左内スプロケット１４１が噛み合っており、前記左内スプロケット１４１には前記左主軸１１０が固定的に連結された。
【００２１】
好ましくは、前記左主軸１１０には左中スプロケット１４２が固定的に連結され、前記左中スプロケット１４２には中チェーン１４３が噛み合っており、前記中チェーン１４３には中スプロケット１５０が噛み合っており、前記中スプロケット１５０が前記中心軸１５１と固定的に連結された。
【００２２】
好ましくは、前記パイプ１３６にはバネ１３７が固定的に連結され、前記バネ１３の末端には前記ノズル１３８が固定的に連結された。
【００２３】
好ましくは、前記出口チャンバ１８４の内壁には右ウォーム１２８が回転できるように連結され、前記右ウォーム１２８には右タービン１６３が噛み合っており、前記右タービン１６３には前記出口チャンバ１８４の内壁と回転できるように連結された右横軸１６４が固定的に連結され、前記右横軸１６４には前記右ベルトコンベア１６１と伝動できるように連結された右外伝送ディスク１６２が固定的に連結され、前記右ウォーム１２８には右外スプロケット１６０が固定的に連結され、前記右外スプロケット１６０には右下チェーン１５８が噛み合っており、前記右下チェーン１５８には前記右主軸１５６と固定的に連結された右内スプロケット１５７が噛み合っている。
【００２４】
好ましくは、前記左主軸１１０には左中内スプロケット１０９が固定的に連結され、前記左中内スプロケット１０９には左中チェーン１０８が噛み合っており、前記左中チェーン１０８には左中外スプロケット１６６が噛み合っており、前記左中外スプロケット１６６には左中短軸１６７が固定的に連結され、前記左中短軸１６７には左ヘリカルギヤ１６８が固定的に連結され、前記左ヘリカルギヤ１６８には左下ヘリカルギヤ１６９が噛み合っており、前記左下ヘリカルギヤ１６９には左短横軸１７１が固定的に連結され、前記左短横軸１７１には左扇形歯車１７２が固定的に連結され、前記左扇形歯車１７２には前記入口バルブ１８５と固定的に連結された左ラック１７３が間欠的に噛み合っている。
【００２５】
好ましくは、前記右主軸１５６には右中内スプロケット１３０が固定的に連結され、前記右中内スプロケット１３０には右中チェーン１２９が噛み合っており、前記右中チェーン１２９には右中外スプロケット１７５が噛み合っており、前記右中外スプロケット１７５には右中短軸１７６が固定的に連結され、前記右中短軸１７６には右ヘリカルギヤ１７８が固定的に連結され、前記右ヘリカルギヤ１７８には右下ヘリカルギヤ１７９が噛み合っており、前記右下ヘリカルギヤ１７９には右短横軸１８２が固定的に連結され、前記右短横軸１８２には右扇形歯車１８３が固定的に連結され、前記右扇形歯車１８３には前記出口バルブ１８７と固定的に連結された右ラック１８１が間欠的に噛み合っている。
【００２６】
装置全体の機械動作の順序は：
【００２７】
１．起動する前、前記貯蔵チャンバ１３４の中に原料を入れ、加工待ちの産品を前記入口チャンバ１０１に入れ、前記モータ１２０を始動し、前記出力軸１３２を回転連動させ、同時に前記左主軸１１０を回転連動させ、同時に前記右主軸１５６を回転連動させ、同時に前記左下スプロケット１０５を移動連動させ、同時に前記把持ロッド１４５を回転連動させ、同時に前記右ベルトコンベア１６１を移動連動させる。
本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。  
【００２８】
２．産品が前記原料入り口１８６まで到着した時、前記左扇形歯車１７２が前記左ラック１７３と噛み合い、前記入口バルブ１８５が上方へ移動し、産品が原料入り口１８６を通った後、前記左扇形歯車１７２が左ラック１７３と噛み合わなくなり、前記入口バルブ１８５が重力作用の下で下方へ移動し、スプレー材料が外部空間に発散するのを避ける。
【００２９】
３．産品が前記左ベルトコンベア１９０の右端まで移動した時、前記把持ロッド１４５はちょうどその位置まで回転し、その時産品はちょうど前記把持ロッド１４５に設置された割れ目に挟まって動かなく、前記把持ロッド１４５が産品をスプレー位置まで回転連動させ、その時前記斜めブロック１４４が前記スイッチ１３９と接触し、前記ノズル１３８が作動し始め、産品がスプレー位置を通ったら、前記斜めブロック１４４がスイッチ１３９に接触しなくなり、前記ノズル１３８が作動を止め、産品が前記右ベルトコンベア１６１の左端まで引き続き回転した時、産品自身の重力により、産品が前記右ベルトコンベア１６１の上に落ち、前記右ベルトコンベア１６１が産品を右方へ移動連動させる。
【００３０】
４．産品が前記原料出口１８８に到着する時、前記右扇形歯車１８３が前記ラック１８１と噛み合い、前記出口バルブ１８７を上方へ移動連動させ、産品が原料出口１８８を通った後、前記右扇形歯車１８３が前記右ラック１８１と噛み合わなくなり、前記出口バルブ１８７が重力により下方へ移動し、スプレー材料が外部空間まで発散するのを避ける。
【００３１】
５．以上のプロセスが循環作業し、過程全体において、前記左ファンブレード１１１と前記右ファンブレード１２３とが間断なく回転し、発散したスプレー材料を前記左排出パイプ１０６と前記右排出パイプ１２２により前記浄化槽１１５まで持ち込み、前記浄化槽１１５の中にある溶剤の処理により、発散した煙状のスプレー材料が一掃される。
【００３２】
本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。 
【００３３】
以上の方式により、本分野の技術者が本発明の範囲内に作動モードにより各種な変化をすることができる。
【図１】
2020203274.tif 000003
【図２】
2020203274.tif 000004
【図３】
2020203274.tif 000005
【図４】
2020203274.tif 000006
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
正面視で、ボディを含み、前記ボディの上方には浄化槽が設置され、前記ボディの左側には入口チャンバーが設置され、前記ボディの中部にはスプレーチャンバーが設置され、前記ボディの右側には出口チャンバーが設置され、前記入口チャンバーの右側には原料入り口が設置され、前記原料入り口の中には入口バルブがスライドできるように設置され、前記スプレーチャンバーの中には左回転軸と右回転軸が回転できるように設置され、前記左回転軸には左伝送ディスクが固定的に連結され、前記右回転軸には右伝送ディスクが固定的に連結され、前記左伝送ディスクには左ベルトコンベアが伝動できるように連結され、前記右伝送ディスクに右ベルトコンベアが伝動できるように連結され、前記スプレーチャンバーの下壁中部には支柱が固定的に連結され、前記支柱には扇形板が固定的に連結され、前記スプレーチャンバーの下壁には中心軸が回転できるように連結され、前記中心軸には把持ロッドが固定的に連結され、前記把持ロッドには斜めブロックが固定的に連結され、前記スプレーチャンバーの上壁には圧縮機が固定的に連結され、前記スプレーチャンバーの上壁には貯蔵チャンバーが固定的に連結され、前記貯蔵チャンバーはスプレー材料を貯蔵でき、前記圧縮機と前記貯蔵チャンバーにはパイプが固定的に連結され、前記パイプの末端にはノズルがスライドできるように連結され、前記ノズルにはスイッチが固定的に連結され、前記出口チャンバーの左側には原料出口が設置され、前記原料出口の中には出口バルブがスライドできるように設置され、
前記浄化槽には左排出管が連通するように設置され、前記浄化槽には右排出管が連通するように設置され、前記左排出管の下方には左ファンブレードが設置され、前記右排出管の下方には右ファンブレードが設置され、前記左ファンブレードには左主軸が固定的に連結され、前記右ファンブレードには右主軸が固定的に連結され、前記左主軸には左上スプロケットが固定的に連結され、前記左上スプロケットには左チェーンが伝動できるように連結され、前記左チェーンには中上スプロケットが伝動できるように連結され、前記右主軸には右上スプロケットが固定的に連結され、前記右上スプロケットには右チェーン伝動できるように連結され、前記右チェーンには中スプロケットが伝動できるように連結され、前記中スプロケットには出力軸が固定的に連結され、前記出力軸にはモータが動力が伝達できるように連結され、前記出力軸には中歯車が固定的に連結され、前記中歯車には左歯車が噛み合っており、前記左歯車には上短軸が固定的に連結され、前記上短軸が前記ボディと回転できるように連結され、前記上短軸が前記中上スプロケットと固定的に連結され、
前記左主軸には左三角スタンドが回転できるように連結され、前記左三角スタンドと前記ボディが固定的に連結され、前記右主軸には右三角スタンドが回転できるように連結され、前記右三角スタンドと前記ボディが固定的に連結され、
前記入口チャンバーの内壁には左ウォームが回転できるように連結され、前記左ウォームには左タービンが噛み合っており、前記左タービンには前記入口チャンバーの内壁と回転できるように連結された左横軸が固定的に連結され、前記左横軸には前記左ベルトコンベアと伝動できるように連結された左外伝送ディスクが固定的に連結され、前記左横軸には左外スプロケットが固定的に連結され、前記左外スプロケットには左下チェーンが噛み合っており、前記左下チェーンには左内スプロケットが噛み合っており、前記左内スプロケットには前記左主軸が固定的に連結され、
前記左主軸には左中スプロケットが固定的に連結され、前記左中スプロケットには中チェーンが噛み合っており、前記中チェーンには中スプロケットが噛み合っており、前記中スプロケットが前記中心軸と固定的に連結され、
前記パイプにはバネが固定的に連結され、前記バネの末端には前記ノズルが固定的に連結され、
前記出口チャンバーの内壁には右ウォームが回転できるように連結され、前記右ウォームには右タービンが噛み合っており、前記右タービンには前記出口チャンバーの内壁と回転できるように連結された右横軸が固定的に連結され、前記右横軸には前記右ベルトコンベアと伝動できるように連結された右外伝送ディスクが固定的に連結され、前記右ウォームには右外スプロケットが固定的に連結され、前記右外スプロケットには右下チェーンが噛み合っており、前記右下チェーンには前記右主軸と固定的に連結された右内スプロケットが噛み合っており、
前記左主軸には左中内スプロケットが固定的に連結され、前記左中内スプロケットには左中チェーンが噛み合っており、前記左中チェーンには左中外スプロケットが噛み合っており、前記左中外スプロケットには左中短軸が固定的に連結され、前記左中短軸には左ヘリカルギヤが固定的に連結され、前記左ヘリカルギヤには左下ヘリカルギヤが噛み合っており、前記左下ヘリカルギヤには左短横軸が固定的に連結され、前記左短横軸には左扇形歯車が固定的に連結され、前記左扇形歯車には前記入口バルブと固定的に連結された左ラックが間欠的に噛み合っており、
前記右主軸には右中内スプロケットが固定的に連結され、前記右中内スプロケットには右中チェーンが噛み合っており、前記右中チェーンには右中外スプロケットが噛み合っており、前記右中外スプロケットには右中短軸が固定的に連結され、前記右中短軸には右ヘリカルギヤが固定的に連結され、前記右ヘリカルギヤには右下ヘリカルギヤが噛み合っており、前記右下ヘリカルギヤには右短横軸が固定的に連結され、前記右短横軸には右扇形歯車が固定的に連結され、前記右扇形歯車には前記出口バルブと固定的に連結された右ラックが間欠的に噛み合っていることを特徴とする知能無味スプレー設備。
【手続補正２】
【補正対象書類名】明細書
【補正対象項目名】全文
【補正方法】変更
【補正の内容】
【発明の詳細な説明】
【技術分野】
【０００１】
本発明は玩具スプレー設備分野に関し、具体的には知能無味スプレー設備である。
【背景技術】
【０００２】
人々の生活レベルの向上と共に、児童は玩具への需要量が多くなり、しかし、玩具の生産の中にはスプレーしたり、漆を塗ったりする大量の人力が需要され、伝統的なスプレー方式を使用すると、人が大量の有害物質を吸入しやすく、たとえ玩具用漆だとしても、気道に吸入したら有害であり、それに、伝統的なスプレー方式は速度が遅く、コストが高く、従って、プロテクト機能を持つ知能スプレー設備を設計することが必要となる。
【先行技術文献】
【特許文献】
【０００３】
【特許文献１】中国特許出願公開第１０８０９７５０４号明細書
【発明の概要】
【発明が解決しようとする課題】
【０００４】
本発明は知能無味スプレー設備を提供し、従来技術における上記欠点を解消し、設備の実用性を高めることを目的とする。
【課題を解決するための手段】
【０００５】
本発明がその技術問題を解決するために採用した技術プランは：本発明の知能無味スプレー設備は、ボディを含み、前記ボディの上方には浄化槽が設置され、前記ボディの左側には入口チャンバが設置され、前記ボディの中部にはスプレーチャンバが設置され、前記ボディの右側には出口チャンバが設置され、前記入口チャンバの右側には原料入り口が設置され、前記原料入り口の中には入口バルブがスライドできるように設置され、前記スプレーチャンバの中には左回転軸と右回転軸が回転できるように設置され、前記左回転軸には左伝送ディスクが固定的に連結され、前記右回転軸には右伝送ディスクが固定的に連結され、前記左伝送ディスクには左ベルトコンベアが伝動できるように連結され、前記右伝送ディスクに右ベルトコンベアが伝動できるように連結され、前記スプレーチャンバの下壁中部には支柱が固定的に連結され、前記支柱には扇形板が固定的に連結され、前記スプレーチャンバの下壁には中心軸が回転できるように連結され、前記中心軸には把持ロッドが固定的に連結され、前記把持ロッドには斜めブロックが固定的に連結され、前記スプレーチャンバの上壁には圧縮機が固定的に連結され、前記スプレーチャンバの上壁には貯蔵チャンバが固定的に連結され、前記貯蔵チャンバはスプレー材料を貯蔵でき、前記圧縮機と前記貯蔵チャンバにはパイプが固定的に連結され、前記パイプの末端にはノズルがスライドできるように連結され、前記ノズルにはスイッチが固定的に連結され、前記出口チャンバの左側には原料出口が設置され、前記原料出口の中には出口バルブがスライドできるように設置されている。
【０００６】
更の技術プランとしては、前記浄化槽には左排出管が連通するように設置され、前記浄化槽には右排出管が連通するように設置され、前記左排出管の下方には左ファンブレードが設置され、前記右排出管の下方には右ファンブレードが設置され、前記左ファンブレードには左主軸が固定的に連結され、前記右ファンブレードには右主軸が固定的に連結され、前記左主軸には左上スプロケットが固定的に連結され、前記左上スプロケットには左チェーンが伝動できるように連結され、前記左チェーンには中上スプロケットが伝動できるように連結され、前記右主軸には右上スプロケットが固定的に連結され、前記右上スプロケットには右チェーン伝動できるように連結され、前記右チェーンには中スプロケットが伝動できるように連結され、前記中スプロケットには出力軸が固定的に連結され、前記出力軸にはモータが動力が伝達できるように連結され、前記出力軸には中歯車が固定的に連結され、前記中歯車には左歯車が噛み合っており、前記左歯車には上短軸が固定的に連結され、前記上短軸が前記ボディと回転できるように連結され、前記上短軸が前記中上スプロケットと固定的に連結された。
【０００７】
更の技術プランとしては、前記左主軸には左三角スタンドが回転できるように連結され、前記左三角スタンドと前記ボディが固定的に連結され、前記右主軸には右三角スタンドが回転できるように連結され、前記右三角スタンドと前記ボディが固定的に連結された。
【０００８】
更の技術プランとしては、前記入口チャンバの内壁には左ウォームが回転できるように連結され、前記左ウォームには左タービンが噛み合っており、前記左タービンには前記入口チャンバの内壁と回転できるように連結された左横軸が固定的に連結され、前記左横軸には前記左ベルトコンベアと伝動できるように連結された左外伝送ディスクが固定的に連結され、前記左横軸には左外スプロケットが固定的に連結され、前記左外スプロケットには左下チェーンが噛み合っており、前記左下チェーンには左内スプロケットが噛み合っており、前記左内スプロケットには前記左主軸が固定的に連結された。
【０００９】
更の技術プランとしては、前記左主軸には左中スプロケットが固定的に連結され、前記左中スプロケットには中チェーンが噛み合っており、前記中チェーンには中スプロケットが噛み合っており、前記中スプロケットが前記中心軸と固定的に連結された。
【００１０】
更の技術プランとしては、前記パイプにはバネが固定的に連結され、前記バネの末端には前記ノズルが固定的に連結された。
【００１１】
更の技術プランとしては、前記出口チャンバの内壁には右ウォームが回転できるように連結され、前記右ウォームには右タービンが噛み合っており、前記右タービンには前記出口チャンバの内壁と回転できるように連結された右横軸が固定的に連結され、前記右横軸には前記右ベルトコンベアと伝動できるように連結された右外伝送ディスクが固定的に連結され、前記右ウォームには右外スプロケットが固定的に連結され、前記右外スプロケットには右下チェーンが噛み合っており、前記右下チェーンには前記右主軸と固定的に連結された右内スプロケットが噛み合っている。
【００１２】
更の技術プランとしては、前記左主軸には左中内スプロケットが固定的に連結され、前記左中内スプロケットには左中チェーンが噛み合っており、前記左中チェーンには左中外スプロケットが噛み合っており、前記左中外スプロケットには左中短軸が固定的に連結され、前記左中短軸には左ヘリカルギヤが固定的に連結され、前記左ヘリカルギヤには左下ヘリカルギヤが噛み合っており、前記左下ヘリカルギヤには左短横軸が固定的に連結され、前記左短横軸には左扇形歯車が固定的に連結され、前記左扇形歯車には前記入口バルブと固定的に連結された左ラックが間欠的に噛み合っている。
【００１３】
更の技術プランとしては、前記右主軸には右中内スプロケットが固定的に連結され、前記右中内スプロケットには右中チェーンが噛み合っており、前記右中チェーンには右中外スプロケットが噛み合っており、前記右中外スプロケットには右中短軸が固定的に連結され、前記右中短軸には右ヘリカルギヤが固定的に連結され、前記右ヘリカルギヤには右下ヘリカルギヤが噛み合っており、前記右下ヘリカルギヤには右短横軸が固定的に連結され、前記右短横軸には右扇形歯車が固定的に連結され、前記右扇形歯車には前記出口バルブと固定的に連結された右ラックが間欠的に噛み合っている。
【発明の効果】
【００１４】
本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の知能無味スプレー設備の全体構成模式図
【図２】図２は図１のＡの拡大構成模式図
【図３】図３は図１のＢの拡大構成模式図
【図４】図４は図１のＣ―Ｃの断面構成模式図
【発明を実施するための形態】
【００１７】
図１〜４を参照し、本発明の知能無味スプレー設備は、ボディ１００を含み、前記ボディ１００の上方には浄化槽１１５が設置され、前記ボディ１００の左側には入口チャンバ１０１が設置され、前記ボディ１００の中部にはスプレーチャンバ１２７が設置され、前記ボディ１００の右側には出口チャンバ１８４が設置され、前記入口チャンバ１０１の右側には原料入り口１８６が設置され、前記原料入り口１８６の中には入口バルブ１８５がスライドできるように設置され、前記スプレーチャンバ１８４の中には左回転軸１４６と右回転軸１５３が回転できるように設置され、前記左回転軸１４６には左伝送ディスク１４７が固定的に連結され、前記右回転軸１５３には右伝送ディスク１５４が固定的に連結され、前記左伝送ディスク１４７には左ベルトコンベア１９０が伝動できるように連結され、前記右伝送ディスク１５４に右ベルトコンベア１６１が伝動できるように連結され、前記スプレーチャンバ１２７の下壁中部には支柱１５２が固定的に連結され、前記支柱１５２には扇形板１４９が固定的に連結され、前記スプレーチャンバ１２７の下壁には中心軸１５１が回転できるように連結され、前記中心軸１５１には把持ロッド１４５が固定的に連結され、前記把持ロッド１４５には斜めブロック１４４が固定的に連結され、前記スプレーチャンバ１２７の上壁には圧縮機１３５が固定的に連結され、前記スプレーチャンバ１２７の上壁には貯蔵チャンバ１３４が固定的に連結され、前記貯蔵チャンバ１３４はスプレー材料を貯蔵でき、前記圧縮機１３５と前記貯蔵チャンバ１３４にはパイプ１３６が固定的に連結され、前記パイプ１３６の末端にはノズル１３８がスライドできるように連結され、前記ノズル１３８にはスイッチ１３９が固定的に連結され、前記出口チャンバ１８４の左側には原料出口１８８が設置され、前記原料出口１８８の中には出口バルブ１８７がスライドできるように設置されている。
【００１８】
好ましくは、前記浄化槽１１５には左排出管１０６が連通するように設置され、前記浄化槽１１５には右排出管１２２が連通するように設置され、前記左排出管１０６の下方には左ファンブレード１１１が設置され、前記右排出管１２２の下方には右ファンブレード１２３が設置され、前記左ファンブレード１１１には左主軸１１０が固定的に連結され、前記右ファンブレード１２３には右主軸１５６が固定的に連結され、前記左主軸１１０には左上スプロケット１１２が固定的に連結され、前記左上スプロケット１１２には左チェーン１１６が伝動できるように連結され、前記左チェーン１１６には中上スプロケット１１７が伝動できるように連結され、前記右主軸１５６には右上スプロケット１２４が固定的に連結され、前記右上スプロケット１２４には右チェーン１２６伝動できるように連結され、前記右チェーン１２６には中スプロケット１３３が伝動できるように連結され、前記中スプロケット１３３には出力軸１３２が固定的に連結され、前記出力軸１３２にはモータ１２０が動力が伝達できるように連結され、前記出力軸１３２には中歯車１２１が固定的に連結され、前記中歯車１２１には左歯車１１９が噛み合っており、前記左歯車１１９には上短軸１１８が固定的に連結され、前記上短軸１１８が前記ボディ１００と回転できるように連結され、前記上短軸１１８が前記中上スプロケット１１７と固定的に連結された。
【００１９】
好ましくは、前記左主軸１１０には左三角スタンド１１３が回転できるように連結され、前記左三角スタンド１１３と前記ボディ１００が固定的に連結され、前記右主軸１５６には右三角スタンド１２５が回転できるように連結され、前記右三角スタンド１２５と前記ボディ１００が固定的に連結された。
【００２０】
好ましくは、前記入口チャンバ１０１の内壁には左ウォーム１０２が回転できるように連結され、前記左ウォーム１０２には左タービン１０３が噛み合っており、前記左タービン１０３には前記入口チャンバ１０２の内壁と回転できるように連結された左横軸１４８が固定的に連結され、前記左横軸１４８には前記左ベルトコンベア１９０と伝動できるように連結された左外伝送ディスク１０２が固定的に連結され、前記左横軸１４８には左外スプロケット１０４が固定的に連結され、前記左外スプロケット１０４には左下チェーン１０５が噛み合っており、前記左下チェーン１０５には左内スプロケット１４１が噛み合っており、前記左内スプロケット１４１には前記左主軸１１０が固定的に連結された。
【００２１】
好ましくは、前記左主軸１１０には左中スプロケット１４２が固定的に連結され、前記左中スプロケット１４２には中チェーン１４３が噛み合っており、前記中チェーン１４３には中スプロケット１５０が噛み合っており、前記中スプロケット１５０が前記中心軸１５１と固定的に連結された。
【００２２】
好ましくは、前記パイプ１３６にはバネ１３７が固定的に連結され、前記バネ１３の末端には前記ノズル１３８が固定的に連結された。
【００２３】
好ましくは、前記出口チャンバ１８４の内壁には右ウォーム１２８が回転できるように連結され、前記右ウォーム１２８には右タービン１６３が噛み合っており、前記右タービン１６３には前記出口チャンバ１８４の内壁と回転できるように連結された右横軸１６４が固定的に連結され、前記右横軸１６４には前記右ベルトコンベア１６１と伝動できるように連結された右外伝送ディスク１６２が固定的に連結され、前記右ウォーム１２８には右外スプロケット１６０が固定的に連結され、前記右外スプロケット１６０には右下チェーン１５８が噛み合っており、前記右下チェーン１５８には前記右主軸１５６と固定的に連結された右内スプロケット１５７が噛み合っている。
【００２４】
好ましくは、前記左主軸１１０には左中内スプロケット１０９が固定的に連結され、前記左中内スプロケット１０９には左中チェーン１０８が噛み合っており、前記左中チェーン１０８には左中外スプロケット１６６が噛み合っており、前記左中外スプロケット１６６には左中短軸１６７が固定的に連結され、前記左中短軸１６７には左ヘリカルギヤ１６８が固定的に連結され、前記左ヘリカルギヤ１６８には左下ヘリカルギヤ１６９が噛み合っており、前記左下ヘリカルギヤ１６９には左短横軸１７１が固定的に連結され、前記左短横軸１７１には左扇形歯車１７２が固定的に連結され、前記左扇形歯車１７２には前記入口バルブ１８５と固定的に連結された左ラック１７３が間欠的に噛み合っている。
【００２５】
好ましくは、前記右主軸１５６には右中内スプロケット１３０が固定的に連結され、前記右中内スプロケット１３０には右中チェーン１２９が噛み合っており、前記右中チェーン１２９には右中外スプロケット１７５が噛み合っており、前記右中外スプロケット１７５には右中短軸１７６が固定的に連結され、前記右中短軸１７６には右ヘリカルギヤ１７８が固定的に連結され、前記右ヘリカルギヤ１７８には右下ヘリカルギヤ１７９が噛み合っており、前記右下ヘリカルギヤ１７９には右短横軸１８２が固定的に連結され、前記右短横軸１８２には右扇形歯車１８３が固定的に連結され、前記右扇形歯車１８３には前記出口バルブ１８７と固定的に連結された右ラック１８１が間欠的に噛み合っている。
【００２６】
装置全体の機械動作の順序は：
【００２７】
１．起動する前、前記貯蔵チャンバ１３４の中に原料を入れ、加工待ちの産品を前記入口チャンバ１０１に入れ、前記モータ１２０を始動し、前記出力軸１３２を回転連動させ、同時に前記左主軸１１０を回転連動させ、同時に前記右主軸１５６を回転連動させ、同時に前記左下スプロケット１０５を移動連動させ、同時に前記把持ロッド１４５を回転連動させ、同時に前記右ベルトコンベア１６１を移動連動させる。本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。
【００２８】
２．産品が前記原料入り口１８６まで到着した時、前記左扇形歯車１７２が前記左ラック１７３と噛み合い、前記入口バルブ１８５が上方へ移動し、産品が原料入り口１８６を通った後、前記左扇形歯車１７２が左ラック１７３と噛み合わなくなり、前記入口バルブ１８５が重力作用の下で下方へ移動し、スプレー材料が外部空間に発散するのを避ける。
【００２９】
３．産品が前記左ベルトコンベア１９０の右端まで移動した時、前記把持ロッド１４５はちょうどその位置まで回転し、その時産品はちょうど前記把持ロッド１４５に設置された割れ目に挟まって動かなく、前記把持ロッド１４５が産品をスプレー位置まで回転連動させ、その時前記斜めブロック１４４が前記スイッチ１３９と接触し、前記ノズル１３８が作動し始め、産品がスプレー位置を通ったら、前記斜めブロック１４４がスイッチ１３９に接触しなくなり、前記ノズル１３８が作動を止め、産品が前記右ベルトコンベア１６１の左端まで引き続き回転した時、産品自身の重力により、産品が前記右ベルトコンベア１６１の上に落ち、前記右ベルトコンベア１６１が産品を右方へ移動連動させる。
【００３０】
４．産品が前記原料出口１８８に到着する時、前記右扇形歯車１８３が前記ラック１８１と噛み合い、前記出口バルブ１８７を上方へ移動連動させ、産品が原料出口１８８を通った後、前記右扇形歯車１８３が前記右ラック１８１と噛み合わなくなり、前記出口バルブ１８７が重力により下方へ移動し、スプレー材料が外部空間まで発散するのを避ける。
【００３１】
５．以上のプロセスが循環作業し、過程全体において、前記左ファンブレード１１１と前記右ファンブレード１２３とが間断なく回転し、発散したスプレー材料を前記左排出パイプ１０６と前記右排出パイプ１２２により前記浄化槽１１５まで持ち込み、前記浄化槽１１５の中にある溶剤の処理により、発散した煙状のスプレー材料が一掃される。
【００３２】
本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。
【００３３】
以上の方式により、本分野の技術者が本発明の範囲内に作動モードにより各種な変化をすることができる。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
正面視で、ボディを含み、前記ボディの上方には浄化槽が設置され、前記ボディの左側には入口チャンバーが設置され、前記ボディの中部にはスプレーチャンバーが設置され、前記ボディの右側には出口チャンバーが設置され、前記入口チャンバーの右側には原料入り口が設置され、前記原料入り口の中には入口バルブがスライドできるように設置され、前記スプレーチャンバーの中には左回転軸と右回転軸が回転できるように設置され、前記左回転軸には左伝送ディスクが固定的に連結され、前記右回転軸には右伝送ディスクが固定的に連結され、前記左伝送ディスクには左ベルトコンベアが伝動できるように連結され、前記右伝送ディスクに右ベルトコンベアが伝動できるように連結され、前記スプレーチャンバーの下壁中部には支柱が固定的に連結され、前記支柱には扇形板が固定的に連結され、前記スプレーチャンバーの下壁には中心軸が回転できるように連結され、前記中心軸には把持ロッドが固定的に連結され、前記把持ロッドには斜めブロックが固定的に連結され、前記スプレーチャンバーの上壁には圧縮機が固定的に連結され、前記スプレーチャンバーの上壁には貯蔵チャンバーが固定的に連結され、前記貯蔵チャンバーはスプレー材料を貯蔵でき、前記圧縮機と前記貯蔵チャンバーにはパイプが固定的に連結され、前記パイプの末端にはノズルがスライドできるように連結され、前記ノズルには前記斜めブロックと接触できるスイッチが固定的に連結され、前記出口チャンバーの左側には原料出口が設置され、前記原料出口の中には出口バルブがスライドできるように設置され、
前記浄化槽には左排出管が連通するように設置され、前記浄化槽には右排出管が連通するように設置され、前記左排出管の下方には左ファンブレードが設置され、前記右排出管の下方には右ファンブレードが設置され、前記左ファンブレードには左主軸が固定的に連結され、前記右ファンブレードには右主軸が固定的に連結され、前記左主軸には左上スプロケットが固定的に連結され、前記左上スプロケットには左チェーンが伝動できるように連結され、前記左チェーンには中上スプロケットが伝動できるように連結され、前記右主軸には右上スプロケットが固定的に連結され、前記右上スプロケットには右チェーン伝動できるように連結され、前記右チェーンには中スプロケットが伝動できるように連結され、前記中スプロケットには出力軸が固定的に連結され、前記出力軸にはモータが動力が伝達できるように連結され、前記出力軸には中歯車が固定的に連結され、前記中歯車には左歯車が噛み合っており、前記左歯車には上短軸が固定的に連結され、前記上短軸が前記ボディと回転できるように連結され、前記上短軸が前記中上スプロケットと固定的に連結され、
前記左主軸には左三角スタンドが回転できるように連結され、前記左三角スタンドと前記ボディが固定的に連結され、前記右主軸には右三角スタンドが回転できるように連結され、前記右三角スタンドと前記ボディが固定的に連結され、
前記入口チャンバーの内壁には左ウォームが回転できるように連結され、前記左ウォームには左タービンが噛み合っており、前記左タービンには前記入口チャンバーの内壁と回転できるように連結された左横軸が固定的に連結され、前記左横軸には前記左ベルトコンベアと伝動できるように連結された左外伝送ディスクが固定的に連結され、前記左横軸には左外スプロケットが固定的に連結され、前記左外スプロケットには左下チェーンが噛み合っており、前記左下チェーンには左内スプロケットが噛み合っており、前記左内スプロケットには前記左主軸が固定的に連結され、
前記左主軸には左中スプロケットが固定的に連結され、前記左中スプロケットには中チェーンが噛み合っており、前記中チェーンには中スプロケットが噛み合っており、前記中スプロケットが前記中心軸と固定的に連結され、
前記パイプにはバネが固定的に連結され、前記バネの末端には前記ノズルが固定的に連結され、
前記出口チャンバーの内壁には右ウォームが回転できるように連結され、前記右ウォームには右タービンが噛み合っており、前記右タービンには前記出口チャンバーの内壁と回転できるように連結された右横軸が固定的に連結され、前記右横軸には前記右ベルトコンベアと伝動できるように連結された右外伝送ディスクが固定的に連結され、前記右ウォームには右外スプロケットが固定的に連結され、前記右外スプロケットには右下チェーンが噛み合っており、前記右下チェーンには前記右主軸と固定的に連結された右内スプロケットが噛み合っており、
前記左主軸には左中内スプロケットが固定的に連結され、前記左中内スプロケットには左中チェーンが噛み合っており、前記左中チェーンには左中外スプロケットが噛み合っており、前記左中外スプロケットには左中短軸が固定的に連結され、前記左中短軸には左ヘリカルギヤが固定的に連結され、前記左ヘリカルギヤには左下ヘリカルギヤが噛み合っており、前記左下ヘリカルギヤには左短横軸が固定的に連結され、前記左短横軸には左扇形歯車が固定的に連結され、前記左扇形歯車には前記入口バルブと固定的に連結された左ラックが間欠的に噛み合っており、
前記右主軸には右中内スプロケットが固定的に連結され、前記右中内スプロケットには右中チェーンが噛み合っており、前記右中チェーンには右中外スプロケットが噛み合っており、前記右中外スプロケットには右中短軸が固定的に連結され、前記右中短軸には右ヘリカルギヤが固定的に連結され、前記右ヘリカルギヤには右下ヘリカルギヤが噛み合っており、前記右下ヘリカルギヤには右短横軸が固定的に連結され、前記右短横軸には右扇形歯車が固定的に連結され、前記右扇形歯車には前記出口バルブと固定的に連結された右ラックが間欠的に噛み合っていることを特徴とする知能無味スプレー設備。
【手続補正２】
【補正対象書類名】明細書
【補正対象項目名】全文
【補正方法】変更
【補正の内容】
【発明の詳細な説明】
【技術分野】
【０００１】
本発明は玩具スプレー設備分野に関し、具体的には知能無味スプレー設備である。
【背景技術】
【０００２】
人々の生活レベルの向上と共に、児童は玩具への需要量が多くなり、しかし、玩具の生産の中にはスプレーしたり、漆を塗ったりする大量の人力が需要され、伝統的なスプレー方式を使用すると、人が大量の有害物質を吸入しやすく、たとえ玩具用漆だとしても、気道に吸入したら有害であり、それに、伝統的なスプレー方式は速度が遅く、コストが高く、従って、プロテクト機能を持つ知能スプレー設備を設計することが必要となる。
【先行技術文献】
【特許文献】
【０００３】
【特許文献１】中国特許出願公開第１０８０９７５０４号明細書
【発明の概要】
【発明が解決しようとする課題】
【０００４】
本発明は知能無味スプレー設備を提供し、従来技術における上記欠点を解消し、設備の実用性を高めることを目的とする。
【課題を解決するための手段】
【０００５】
本発明がその技術問題を解決するために採用した技術プランは：本発明の知能無味スプレー設備は、ボディを含み、前記ボディの上方には浄化槽が設置され、前記ボディの左側には入口チャンバが設置され、前記ボディの中部にはスプレーチャンバが設置され、前記ボディの右側には出口チャンバが設置され、前記入口チャンバの右側には原料入り口が設置され、前記原料入り口の中には入口バルブがスライドできるように設置され、前記スプレーチャンバの中には左回転軸と右回転軸が回転できるように設置され、前記左回転軸には左伝送ディスクが固定的に連結され、前記右回転軸には右伝送ディスクが固定的に連結され、前記左伝送ディスクには左ベルトコンベアが伝動できるように連結され、前記右伝送ディスクに右ベルトコンベアが伝動できるように連結され、前記スプレーチャンバの下壁中部には支柱が固定的に連結され、前記支柱には扇形板が固定的に連結され、前記スプレーチャンバの下壁には中心軸が回転できるように連結され、前記中心軸には把持ロッドが固定的に連結され、前記把持ロッドには斜めブロックが固定的に連結され、前記スプレーチャンバの上壁には圧縮機が固定的に連結され、前記スプレーチャンバの上壁には貯蔵チャンバが固定的に連結され、前記貯蔵チャンバはスプレー材料を貯蔵でき、前記圧縮機と前記貯蔵チャンバにはパイプが固定的に連結され、前記パイプの末端にはノズルがスライドできるように連結され、前記ノズルには前記斜めブロックと接触できるスイッチが固定的に連結され、前記出口チャンバの左側には原料出口が設置され、前記原料出口の中には出口バルブがスライドできるように設置されている。
【０００６】
更の技術プランとしては、前記浄化槽には左排出管が連通するように設置され、前記浄化槽には右排出管が連通するように設置され、前記左排出管の下方には左ファンブレードが設置され、前記右排出管の下方には右ファンブレードが設置され、前記左ファンブレードには左主軸が固定的に連結され、前記右ファンブレードには右主軸が固定的に連結され、前記左主軸には左上スプロケットが固定的に連結され、前記左上スプロケットには左チェーンが伝動できるように連結され、前記左チェーンには中上スプロケットが伝動できるように連結され、前記右主軸には右上スプロケットが固定的に連結され、前記右上スプロケットには右チェーン伝動できるように連結され、前記右チェーンには中スプロケットが伝動できるように連結され、前記中スプロケットには出力軸が固定的に連結され、前記出力軸にはモータが動力が伝達できるように連結され、前記出力軸には中歯車が固定的に連結され、前記中歯車には左歯車が噛み合っており、前記左歯車には上短軸が固定的に連結され、前記上短軸が前記ボディと回転できるように連結され、前記上短軸が前記中上スプロケットと固定的に連結された。
【０００７】
更の技術プランとしては、前記左主軸には左三角スタンドが回転できるように連結され、前記左三角スタンドと前記ボディが固定的に連結され、前記右主軸には右三角スタンドが回転できるように連結され、前記右三角スタンドと前記ボディが固定的に連結された。
【０００８】
更の技術プランとしては、前記入口チャンバの内壁には左ウォームが回転できるように連結され、前記左ウォームには左タービンが噛み合っており、前記左タービンには前記入口チャンバの内壁と回転できるように連結された左横軸が固定的に連結され、前記左横軸には前記左ベルトコンベアと伝動できるように連結された左外伝送ディスクが固定的に連結され、前記左横軸には左外スプロケットが固定的に連結され、前記左外スプロケットには左下チェーンが噛み合っており、前記左下チェーンには左内スプロケットが噛み合っており、前記左内スプロケットには前記左主軸が固定的に連結された。
【０００９】
更の技術プランとしては、前記左主軸には左中スプロケットが固定的に連結され、前記左中スプロケットには中チェーンが噛み合っており、前記中チェーンには中スプロケットが噛み合っており、前記中スプロケットが前記中心軸と固定的に連結された。
【００１０】
更の技術プランとしては、前記パイプにはバネが固定的に連結され、前記バネの末端には前記ノズルが固定的に連結された。
【００１１】
更の技術プランとしては、前記出口チャンバの内壁には右ウォームが回転できるように連結され、前記右ウォームには右タービンが噛み合っており、前記右タービンには前記出口チャンバの内壁と回転できるように連結された右横軸が固定的に連結され、前記右横軸には前記右ベルトコンベアと伝動できるように連結された右外伝送ディスクが固定的に連結され、前記右ウォームには右外スプロケットが固定的に連結され、前記右外スプロケットには右下チェーンが噛み合っており、前記右下チェーンには前記右主軸と固定的に連結された右内スプロケットが噛み合っている。
【００１２】
更の技術プランとしては、前記左主軸には左中内スプロケットが固定的に連結され、前記左中内スプロケットには左中チェーンが噛み合っており、前記左中チェーンには左中外スプロケットが噛み合っており、前記左中外スプロケットには左中短軸が固定的に連結され、前記左中短軸には左ヘリカルギヤが固定的に連結され、前記左ヘリカルギヤには左下ヘリカルギヤが噛み合っており、前記左下ヘリカルギヤには左短横軸が固定的に連結され、前記左短横軸には左扇形歯車が固定的に連結され、前記左扇形歯車には前記入口バルブと固定的に連結された左ラックが間欠的に噛み合っている。
【００１３】
更の技術プランとしては、前記右主軸には右中内スプロケットが固定的に連結され、前記右中内スプロケットには右中チェーンが噛み合っており、前記右中チェーンには右中外スプロケットが噛み合っており、前記右中外スプロケットには右中短軸が固定的に連結され、前記右中短軸には右ヘリカルギヤが固定的に連結され、前記右ヘリカルギヤには右下ヘリカルギヤが噛み合っており、前記右下ヘリカルギヤには右短横軸が固定的に連結され、前記右短横軸には右扇形歯車が固定的に連結され、前記右扇形歯車には前記出口バルブと固定的に連結された右ラックが間欠的に噛み合っている。
【発明の効果】
【００１４】
本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の知能無味スプレー設備の全体構成模式図
【図２】図２は図１のＡの拡大構成模式図
【図３】図３は図１のＢの拡大構成模式図
【図４】図４は図１のＣ―Ｃの断面構成模式図
【発明を実施するための形態】
【００１７】
図１〜４を参照し、本発明の知能無味スプレー設備は、ボディ１００を含み、前記ボディ１００の上方には浄化槽１１５が設置され、前記ボディ１００の左側には入口チャンバ１０１が設置され、前記ボディ１００の中部にはスプレーチャンバ１２７が設置され、前記ボディ１００の右側には出口チャンバ１８４が設置され、前記入口チャンバ１０１の右側には原料入り口１８６が設置され、前記原料入り口１８６の中には入口バルブ１８５がスライドできるように設置され、前記スプレーチャンバ１８４の中には左回転軸１４６と右回転軸１５３が回転できるように設置され、前記左回転軸１４６には左伝送ディスク１４７が固定的に連結され、前記右回転軸１５３には右伝送ディスク１５４が固定的に連結され、前記左伝送ディスク１４７には左ベルトコンベア１９０が伝動できるように連結され、前記右伝送ディスク１５４に右ベルトコンベア１６１が伝動できるように連結され、前記スプレーチャンバ１２７の下壁中部には支柱１５２が固定的に連結され、前記支柱１５２には扇形板１４９が固定的に連結され、前記スプレーチャンバ１２７の下壁には中心軸１５１が回転できるように連結され、前記中心軸１５１には把持ロッド１４５が固定的に連結され、前記把持ロッド１４５には斜めブロック１４４が固定的に連結され、前記スプレーチャンバ１２７の上壁には圧縮機１３５が固定的に連結され、前記スプレーチャンバ１２７の上壁には貯蔵チャンバ１３４が固定的に連結され、前記貯蔵チャンバ１３４はスプレー材料を貯蔵でき、前記圧縮機１３５と前記貯蔵チャンバ１３４にはパイプ１３６が固定的に連結され、前記パイプ１３６の末端にはノズル１３８がスライドできるように連結され、前記ノズル１３８には前記斜めブロック１４４と接触できるスイッチ１３９が固定的に連結され、前記出口チャンバ１８４の左側には原料出口１８８が設置され、前記原料出口１８８の中には出口バルブ１８７がスライドできるように設置されている。
【００１８】
好ましくは、前記浄化槽１１５には左排出管１０６が連通するように設置され、前記浄化槽１１５には右排出管１２２が連通するように設置され、前記左排出管１０６の下方には左ファンブレード１１１が設置され、前記右排出管１２２の下方には右ファンブレード１２３が設置され、前記左ファンブレード１１１には左主軸１１０が固定的に連結され、前記右ファンブレード１２３には右主軸１５６が固定的に連結され、前記左主軸１１０には左上スプロケット１１２が固定的に連結され、前記左上スプロケット１１２には左チェーン１１６が伝動できるように連結され、前記左チェーン１１６には中上スプロケット１１７が伝動できるように連結され、前記右主軸１５６には右上スプロケット１２４が固定的に連結され、前記右上スプロケット１２４には右チェーン１２６伝動できるように連結され、前記右チェーン１２６には中スプロケット１３３が伝動できるように連結され、前記中スプロケット１３３には出力軸１３２が固定的に連結され、前記出力軸１３２にはモータ１２０が動力が伝達できるように連結され、前記出力軸１３２には中歯車１２１が固定的に連結され、前記中歯車１２１には左歯車１１９が噛み合っており、前記左歯車１１９には上短軸１１８が固定的に連結され、前記上短軸１１８が前記ボディ１００と回転できるように連結され、前記上短軸１１８が前記中上スプロケット１１７と固定的に連結された。
【００１９】
好ましくは、前記左主軸１１０には左三角スタンド１１３が回転できるように連結され、前記左三角スタンド１１３と前記ボディ１００が固定的に連結され、前記右主軸１５６には右三角スタンド１２５が回転できるように連結され、前記右三角スタンド１２５と前記ボディ１００が固定的に連結された。
【００２０】
好ましくは、前記入口チャンバ１０１の内壁には左ウォーム１０２が回転できるように連結され、前記左ウォーム１０２には左タービン１０３が噛み合っており、前記左タービン１０３には前記入口チャンバ１０２の内壁と回転できるように連結された左横軸１４８が固定的に連結され、前記左横軸１４８には前記左ベルトコンベア１９０と伝動できるように連結された左外伝送ディスク１０２が固定的に連結され、前記左横軸１４８には左外スプロケット１０４が固定的に連結され、前記左外スプロケット１０４には左下チェーン１０５が噛み合っており、前記左下チェーン１０５には左内スプロケット１４１が噛み合っており、前記左内スプロケット１４１には前記左主軸１１０が固定的に連結された。
【００２１】
好ましくは、前記左主軸１１０には左中スプロケット１４２が固定的に連結され、前記左中スプロケット１４２には中チェーン１４３が噛み合っており、前記中チェーン１４３には中スプロケット１５０が噛み合っており、前記中スプロケット１５０が前記中心軸１５１と固定的に連結された。
【００２２】
好ましくは、前記パイプ１３６にはバネ１３７が固定的に連結され、前記バネ１３の末端には前記ノズル１３８が固定的に連結された。
【００２３】
好ましくは、前記出口チャンバ１８４の内壁には右ウォーム１２８が回転できるように連結され、前記右ウォーム１２８には右タービン１６３が噛み合っており、前記右タービン１６３には前記出口チャンバ１８４の内壁と回転できるように連結された右横軸１６４が固定的に連結され、前記右横軸１６４には前記右ベルトコンベア１６１と伝動できるように連結された右外伝送ディスク１６２が固定的に連結され、前記右ウォーム１２８には右外スプロケット１６０が固定的に連結され、前記右外スプロケット１６０には右下チェーン１５８が噛み合っており、前記右下チェーン１５８には前記右主軸１５６と固定的に連結された右内スプロケット１５７が噛み合っている。
【００２４】
好ましくは、前記左主軸１１０には左中内スプロケット１０９が固定的に連結され、前記左中内スプロケット１０９には左中チェーン１０８が噛み合っており、前記左中チェーン１０８には左中外スプロケット１６６が噛み合っており、前記左中外スプロケット１６６には左中短軸１６７が固定的に連結され、前記左中短軸１６７には左ヘリカルギヤ１６８が固定的に連結され、前記左ヘリカルギヤ１６８には左下ヘリカルギヤ１６９が噛み合っており、前記左下ヘリカルギヤ１６９には左短横軸１７１が固定的に連結され、前記左短横軸１７１には左扇形歯車１７２が固定的に連結され、前記左扇形歯車１７２には前記入口バルブ１８５と固定的に連結された左ラック１７３が間欠的に噛み合っている。
【００２５】
好ましくは、前記右主軸１５６には右中内スプロケット１３０が固定的に連結され、前記右中内スプロケット１３０には右中チェーン１２９が噛み合っており、前記右中チェーン１２９には右中外スプロケット１７５が噛み合っており、前記右中外スプロケット１７５には右中短軸１７６が固定的に連結され、前記右中短軸１７６には右ヘリカルギヤ１７８が固定的に連結され、前記右ヘリカルギヤ１７８には右下ヘリカルギヤ１７９が噛み合っており、前記右下ヘリカルギヤ１７９には右短横軸１８２が固定的に連結され、前記右短横軸１８２には右扇形歯車１８３が固定的に連結され、前記右扇形歯車１８３には前記出口バルブ１８７と固定的に連結された右ラック１８１が間欠的に噛み合っている。
【００２６】
装置全体の機械動作の順序は：
【００２７】
１．起動する前、前記貯蔵チャンバ１３４の中に原料を入れ、加工待ちの産品を前記入口チャンバ１０１に入れ、前記モータ１２０を始動し、前記出力軸１３２を回転連動させ、同時に前記左主軸１１０を回転連動させ、同時に前記右主軸１５６を回転連動させ、同時に前記左下スプロケット１０５を移動連動させ、同時に前記把持ロッド１４５を回転連動させ、同時に前記右ベルトコンベア１６１を移動連動させる。本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。
【００２８】
２．産品が前記原料入り口１８６まで到着した時、前記左扇形歯車１７２が前記左ラック１７３と噛み合い、前記入口バルブ１８５が上方へ移動し、産品が原料入り口１８６を通った後、前記左扇形歯車１７２が左ラック１７３と噛み合わなくなり、前記入口バルブ１８５が重力作用の下で下方へ移動し、スプレー材料が外部空間に発散するのを避ける。
【００２９】
３．産品が前記左ベルトコンベア１９０の右端まで移動した時、前記把持ロッド１４５はちょうどその位置まで回転し、その時産品はちょうど前記把持ロッド１４５に設置された割れ目に挟まって動かなく、前記把持ロッド１４５が産品をスプレー位置まで回転連動させ、その時前記斜めブロック１４４が前記スイッチ１３９と接触し、前記ノズル１３８が作動し始め、産品がスプレー位置を通ったら、前記斜めブロック１４４がスイッチ１３９に接触しなくなり、前記ノズル１３８が作動を止め、産品が前記右ベルトコンベア１６１の左端まで引き続き回転した時、産品自身の重力により、産品が前記右ベルトコンベア１６１の上に落ち、前記右ベルトコンベア１６１が産品を右方へ移動連動させる。
【００３０】
４．産品が前記原料出口１８８に到着する時、前記右扇形歯車１８３が前記ラック１８１と噛み合い、前記出口バルブ１８７を上方へ移動連動させ、産品が原料出口１８８を通った後、前記右扇形歯車１８３が前記右ラック１８１と噛み合わなくなり、前記出口バルブ１８７が重力により下方へ移動し、スプレー材料が外部空間まで発散するのを避ける。
【００３１】
５．以上のプロセスが循環作業し、過程全体において、前記左ファンブレード１１１と前記右ファンブレード１２３とが間断なく回転し、発散したスプレー材料を前記左排出パイプ１０６と前記右排出パイプ１２２により前記浄化槽１１５まで持ち込み、前記浄化槽１１５の中にある溶剤の処理により、発散した煙状のスプレー材料が一掃される。
【００３２】
本発明の有益効果は：本発明は密封空間の中に行う全自動スプレー作業により、それに生み出した汚染気体を処理してから排出し、人体へ保護を行うだけでなく、環境へも有効な保護を行い、本発明はまた一連の機械連携を採用し、スプレーの過程全体を自動化させ、企業に大量の人力や物資を節約させる。
【００３３】
以上の方式により、本分野の技術者が本発明の範囲内に作動モードにより各種な変化をすることができる。